(57)【要約】【課題】暗記対象物を暗記するためにトランプカードを用いる場合において、暗記対象の数を多くすることを課題とする。【解決手段】２組のトランプカードセットから成る暗記用トランプカードセットにおいて、一方の組のトランプカードセットを構成するカードの表面のそれぞれに、暗記対象に関する情報である第一暗記対象情報を表示し、他方の組のトランプカードセットを構成するカードの表面のそれぞれに、当該カード表面に表示された数字及びマークと一致する数字及びマークが表示された前記一方の組のカードに表示された前記第一暗記対象情報に対応する、前記暗記対象に関する情報である第二暗記対象情報を表示し、さらに、前記一方の組のトランプカードセットを構成するカードの裏面と、前記他方の組のトランプカードセットを構成するカードの裏面とを、異なる模様及び／又は色彩を有するよう構成する。【選択図】  図１
0003169578.tif 000002
【実用新案登録請求の範囲】
【請求項１】
２組のトランプカードセットから成り、
一方の組のトランプカードセットを構成するカードの表面のそれぞれには、暗記対象に関する情報である第一暗記対象情報が表示され、
他方の組のトランプカードセットを構成するカードの表面のそれぞれには、当該カード表面に表示された数字及びマークと一致する数字及びマークが表示された前記一方の組のカードに表示された前記第一暗記対象情報に対応する、前記暗記対象に関する情報である第二暗記対象情報が表示され、
前記一方の組のトランプカードセットを構成するカードの裏面と、前記他方の組のトランプを構成するカードの裏面とが、異なる模様及び／又は色彩を有するものである
暗記用トランプカードセット。
【請求項２】
前記第一暗記対象情報は、暗記対象に関する画像が含まれ、前記第二暗記対象情報は暗記対象に関する文字情報が含まれる請求項１に記載の暗記用トランプカードセット。
【考案の詳細な説明】
【技術分野】
【０００１】
本考案は、トランプゲームを利用して暗記対象を暗記をするために用いるトランプカードセットに関する。
【背景技術】
【０００２】
カードゲームを暗記に用いる考案として、例えば、下記特許文献に記載されたものが提案されている。特許文献１、２に記載には、読み札と取り札のそれぞれに暗記対象に関する互いに対応する情報を表示しておき、カルタや百人一首のように、読み札から読み上げられる情報に対応する情報が表示された取り札を取ることで遊ぶものが提案されている。また、特許文献３には、暗記対象に関する同じ情報を２枚一組のカードのそれぞれに表示し、複数組のカードを裏返して神経衰弱として遊ぶものが提案されている。これらの考案は、遊ぶ方法が限られるので使用者が飽きてしまうという問題がある。
一方、特許文献４にはトランプカードの同一の数字に関する４種類のマークのそれぞれに歴史上の人物、当該人物に関する３つ事象を表示することが示されている。この考案によれば、トランプによる遊戯方法は無数にあるので飽きることがなく、遊戯を通じて歴史上の人物とこれに関する事象を覚えることができる。
【先行技術文献】
【特許文献】
【０００３】
【特許文献１】特開平１０−３１９８３５号公報
【特許文献２】実用新案登録第３１６３３９８号公報
【特許文献３】特開２００８−３０２１７２号公報
【特許文献４】実開昭５４−１０７４７８号公報
【考案の概要】
【考案が解決しようとする課題】
【０００４】
しかしながら、特許文献４に記載の考案では、トランプの数字ごとに歴史上の人物を割り当てるので、トランプの数字である１３に対応する１３人の事柄に関する暗記しか行なうことができないという問題がある。
本考案は、このような問題に鑑み、暗記対象物を暗記するためにトランプカードを用いる場合において、暗記対象の数を多くすることを課題とする。
【課題を解決するための手段】
【０００５】
上記課題を解決するために、本考案は次のような構成を有する。
２組のトランプカードセットから成る暗記用トランプカードセットであり、一方の組のトランプカードセットを構成するカードの表面のそれぞれには、暗記対象に関する情報である第一暗記対象情報が表示される。また、他方の組のトランプカードセットを構成するカードの表面のそれぞれには、当該カード表面に表示された数字及びマークと一致する数字及びマークが表示された前記一方の組のカードに表示された前記第一暗記対象情報に対応する、前記暗記対象に関する情報である第二暗記対象情報が表示される。また、前記一方の組のトランプカードセットを構成するカードの裏面と、前記他方の組のトランプカードセットを構成するカードの裏面とは、異なる模様及び／又は色彩を有するよう構成される。
請求項２に記載の考案は、前記暗記用トランプカードセットにおいて、前記第一暗記対象情報は、暗記対象に関する画像が含まれ、前記第二暗記対象情報は暗記対象に関する文字情報が含まれるものである。
【考案の効果】
【０００６】
以上のような構成により、本考案は次のような効果を奏する。
請求項１に記載の考案は、２組のトランプカードセットを従来のトランプカードセットの遊びに組み込んで遊んだり、２組を用いた新たなトランプカード遊びをしたり、また、一方と読み札、一方を取り札としてカルタのように遊んだりすることができ、このような遊びを通じて、暗記対象を自然と暗記することができる。そして、数字及びマークで定まる１種類のカードに対して一つの暗記対象に関する情報を表示するので、少なくとも１組のトランプカードセットのカード枚数である５２の暗記対象を暗記することができる。また、各組の裏面を異なるものとすることで、２組のカードを容易に分けることができるとともに、裏面の相違を利用して神経衰弱などを行なうこともできる。
請求項２に記載の考案は、一方の組のカードには暗記対象に関する画像を含ませ、他方の組のカードには暗記対象に関する文字情報を含ませることで、画像情報による暗記と、文字情報による暗記を組み合わせて行なうことで、暗記対象に関する情報をより記憶に定着させやすくすることができる。
【図面の簡単な説明】
【０００７】
【図１】（ａ）は暗記用トランプカードセットの一方の組を構成するカードの表面の一例を示す図であり、（ｂ）は暗記用トランプカードセットの他方の組を構成するカードの表面の一例を示す図である。
【図２】（ａ）は暗記用トランプカードセットの一方の組を構成するカードの裏面の一例を示す図であり、（ｂ）は暗記用トランプカードセットの他方の組を構成するカードの裏面の一例を示す図である。
【考案を実施するための形態】
【０００８】
以下、本考案の暗記用トランプカードセットに関する実施の形態にについて、図面を参照しながら説明する。暗記用トランプカードセットは２組のトランプカードセットにより構成される。
図１（ａ）に一方の組のトランプカードセットを構成するカードの表面１０の一例を示す。この組を構成するカードの表面１０にはここでは日本の歴史上の人物のイラスト画像１１が表示されるとともに、当該人物の名前１２が表示される。また、左側に日本史における時代を列挙した時代表記１３が表されるととともに、当該時代表記１３のうちのイラスト画像１１に描かれた人物が活躍した時代部分が白黒が反転した強調表示１３ａにより表されている。また、このカードはトランプカードであるので、トランプカードにおける数字１４とマーク１５が表示されている。この組のカードは人物に関するイラストが描かれるので以下「イラストカード」と称する。
【０００９】
図１（ｂ）に他方の組のトランプカードセットを構成するカードの表面２０の一例を示す。この組を構成するカードは歴史上の人物に関するテキスト情報２１が表示されるものである。以下、この組のカードを「テキストカード」と称する。テキストカードにもトランプカードにおける数字２４とマーク２５が表示されている。イラストカードにも当然にテキストカードと同じ数字とマークが表示されたカードが存在するので、必ずイラストカードとテキストカードとは同じ数字とマークを有するもの同士で一対一に対応する。テキストカードに表示されるテキスト情報は、数字及びマークで対応するイラストカードに描かれた人物に関する事象を表すものである。
即ち、イラストカードを構成する５２枚のカードのそれぞれの表面には異なる人物が表示され、対応するテキストカードの５２枚の各カードには、イラストカードに表示された人物に関する情報がテキスト情報として表されている。
図２（ａ）にイラストカードの裏面３０を示し、図２（ｂ）にテキストカードの裏面４０を示す。図に示すようにイラストカードの裏面とテキストカードの裏面は互いに異なる色、模様により構成され、互いに区別ができるようになっている。
【００１０】
続いて、以上のような構成を有する暗記用トランプカードセットの使用方法の例を説明する。以下に述べるような遊びを行なうことで、無意識のうちに、イラストに描かれた人物の印象とテキストによる情報とを関連づけられて暗記することができる。
まず、七ならべを行なう場合について説明する。この場合、最初にイラストカード５２枚をすべて七ならべの並べ方で並べておき、次に、テキストカードを各プレーヤーに配る。この状態で、各プレーヤーはイラストカード５２枚の上にテキストカードを重ねるようにして七ならべを行なっていく。
【００１１】
次に、神経衰弱を行なう場合について説明する。まず、イラストカードとテキストカードをすべて互いに重ならないように伏せておく。この状態で、プレーヤーはイラストカードとテキストカードを一枚ずつめくる。この際、イラストカードとテキストカードとは裏面のデザインが異なるので、プレーヤーは容易にイラストカードとテキストカードを見分けることができる。そして、イラストカードに描かれた人物と、テキストカードに描かれた事象とが対応する場合に、めくったカードをプレーヤーは獲得することができるとともにプレイを続けることができ、対応しない場合は次のプレーヤーに交代する。なお、この方法による神経衰弱は対応するカードの組み合わせが一組しかなく、普通のトランプカードセットによる神経衰弱よりも難しいので、枚数を減らすことで難易を調整するとよい。
【００１２】
続いてババ抜きを行なう場合について説明する。ババ抜きに際しては、まず、イラストカード５２枚とテキストカード５２枚にジョーカーを加えた５３枚のそれぞれをプレーヤーに配る。各プレーヤーは配られたイラストカードを自分の前に表面を向けて並べ、配られたテキストカードを手札とする。プレーヤーは手札の中に自分の前に並べられたイラストカードに対応するテキストカードがあれば、テキストカードをイラストカードに重ねて手札を減らすことができる。このようなルールの下で、隣のプレーヤーのカードを順次引いていくことでカードを交換し、自分の前に並べられたイラストカードにすべてテキストカードが重ねられ、手札がなくなったらアガリとなる。
【００１３】
上記の遊び方は一例であり、適宜別のトランプ遊びに応用することができる。また、ルールについても例えば神経衰弱において、テキストカードをめくった後、イラストカードをめくる前にめくったテキストカードに対応する人物名を言えない場合は、たとえイラストカードが合致してもカードを取れないといった制約などを自由に加えてもよいことはいうまでもない。
さらに、２組のトランプカードセットを一緒に使用せずに一組のトランプカードセットのみでトランプカード遊びをしても、無意識にカードの内容を覚えることが可能であり、さらに、トランプカード遊びに限られず、テキストカードを読み札とし、イラストカードを取り札としてカルタのように遊んでもよい。
なお、上記実施形態では、暗記対象として歴史上の人物を例示したが、暗記対象は特に限定されるものではない。例えば、アルファベットの英単語の綴りをテキストカードに表し、イラストカードには英単語が示す対象を表現したイラストと日本語訳を表したり、テキストカードには四文字熟語を表し、イラストカードには四文字熟語の読み方と意味内容及び当該四文字熟語に関連するイラストを表したりする等、暗記対象として種々の対象物を選択することができる。
【符号の説明】
【００１４】
１０  一方の組を構成するトランプカードの表面の例
１１  人物のイラスト画像
１２  人物の名前
１３  時代表記
１３ａ  強調表示
１４  数字
１５  マーク
２０  他方の組を構成するトランプカードの表面の例
２１  テキスト表示
２４  数字
２５  マーク
３０  一方の組を構成するトランプカードの裏面の例
４０  他方の組を構成するトランプカードの裏面の例
【図１】
0003169578.tif 000003
【図２】
0003169578.tif 000004